(57)【要約】【課題】空気の吹出口に風向きを制御するためのフィンを持たずに簡単な構造で風向きを制御し、組込み先の構造物の意匠性を向上させる。【解決手段】空気の吹出口（22）が設けられた空気吹出部（11）を内筒体（13）と外筒体（15）からなる二重筒構造とし、外筒体（15）の一端から内部に流入させた空気を、その流入側から吹出口（22）に向かう気流とその流入側とは反対側から吹出口（22）に向かう気流とに分け、これら両気流の風量比率を内筒体（13）のスライド動作を以て調節可能な構成とする。【選択図】図６
2015227118.tif 000002
【特許請求の範囲】
【請求項１】
両端が開放した筒状の内筒体（13）と、該内筒体（13）が長手方向においてスライド可能に収容された収容空間（21s）を有する筒状の外筒体（15）とからなり、これら両筒体（13, 15）の間に筒間流路（17）が設けられた二重筒構造を具備する空気吹出部（11）と、
前記内筒体（13）のスライド動作を操作するスライド操作手段（79, 90）と、を備え、
前記外筒体（15）は、一端に前記収容空間（21s）へ空気を流入する流入口（25）が設けられた開口壁（27）を有する一方、他端が閉塞壁（29）で閉塞され、前記流入口（25）から前記収容空間（21s）に流入した空気を前記筒間流路（17）を通して外部に吹き出す吹出口（22）を周壁（15a）に有し、
前記内筒体（13）の両開放端のうち、一方の開放端の開口（51a）は、前記外筒体（15）の開口壁（27）に向けられて前記流入口（25）に対応し、他方の開口端の開口（51b）は、前記外筒体（15）の閉塞壁（29）に向けられ、
前記空気吹出部（11）は、前記内筒体（13）の両開放端が前記開口壁（27）及び閉塞壁（29）からそれぞれ離間した状態にあるとき、前記収容空間（21s）に流入した空気を、前記内筒体（13）の内部を通過せずに前記筒間流路（17）を前記開口壁（27）側から前記吹出口（22）に流れる第１の気流と、前記内筒体（13）の内部を通過して前記筒間流路（17）を前記閉塞壁（29）側から前記吹出口（22）に流れる第２の気流とに分け、
前記スライド操作手段（79, 90）で前記内筒体（13）をスライド移動させることにより、前記第１の気流の風量と前記第２の気流の風量との比率が変動し、前記吹出口（22）から吹き出る風の向きが前記外筒体（15）の長手方向で変えられる
ことを特徴とする送風装置。
【請求項２】
請求項１に記載された送風装置において、
前記空気吹出部（11）は、前記収容空間（21s）に流入した空気を、前記筒間流路（17）を前記吹出口（22）に向かって前記外筒体（15）の内周方向における一方回りに流れる第３の気流と他方回りに流れる第４の気流とに分け、これら第３の気流と第４の気流とを前記吹出口（22）に向かって互いに交差する方向に導く構成を有し、
前記外筒体（15）の内部には、前記内筒体（13）よりも前記吹出口（22）側で前記筒間流路（17）を前記第３の気流の流路（24a）と前記第４の気流の流路（24b）とに仕切り、これら両流路（24a, 24b）の前記外筒体（15）の内周方向における流路長さ又は流路面積を規制する流路規制部（19, 20, 82）が仕切り位置可変に設けられ、
前記流路規制部（19, 20, 82）の仕切り位置の移動動作を操作する仕切り位置操作手段（79, 91）を備え、
前記仕切り位置操作手段（79, 91）で前記流路規制部（19, 20, 82）による前記筒間流路（17）での仕切り位置を変えることにより、前記第３の気流の風量と前記第４の気流の風量との比率が変動し、前記吹出口（22）から吹き出る風の向きが前記外筒体（15）の長手方向と直交する方向で変えられる
ことを特徴とする送風装置。
【請求項３】
請求項２に記載された送風装置において、
前記流路規制部（82）は、前記内筒体（13）と一体に形成され、該内筒体（13）の外周面から前記外筒体（15）の内周面に亘って仕切る仕切板（82）である
ことを特徴とする送風装置。
【発明の詳細な説明】
【技術分野】
【０００１】
本開示は、風向きを調節可能な送風装置に関する。
【背景技術】
【０００２】
特許文献１には、空気の吹出口に縦フィンを設けることなく左右方向への風向きを調節可能な吹出しグリル装置が開示されている。このグリル装置は、グリル本体に形成された風の主流路の出口に風向きを上下方向に調節するための横フィンを備えると共に、主流路の両側にそれぞれダンパが設けられた副流路を有し、これら副流路のダンパをダイヤル機構によって選択的に開閉することにより、副流路からの風を主流路に供給して主流路の出口から吹き出される風の向きを左右方向に調節するようになっている。
【先行技術文献】
【特許文献】
【０００３】
【特許文献１】実公平４−５２６０７号公報
【発明の概要】
【発明が解決しようとする課題】
【０００４】
しかしながら、特許文献１のグリル装置では、主流路の他に２つの副流路を有することに加え、風量を調節する機構とは別に副流路毎に設けられたダンパと、これらダンパを開閉するダイヤル機構とを必要とするため、部品点数が多く装置構造が複雑である。また、特許文献１のグリル装置では、吹出口が上下左右に広く開口した形状であり依然として複数枚の横フィンを備えているため、当該グリル装置が組み込まれるインストルメントパネルで吹出口の存在が際立ち、これに起因してインストルメントパネルのデザインの連続性が途切れ、同パネルの意匠性が損なわれてしまう。
【０００５】
本発明は、斯かる点に鑑みてなされたものであり、その目的とするところは、空気の吹出口に風向きを制御するためのフィンを持たずに簡単な構造で風向きを制御でき、組込み先の構造物の意匠性を向上させることができる送風装置を提供することにある。
【課題を解決するための手段】
【０００６】
上記の目的を達成するために、この発明では、空気の吹出口が設けられた空気吹出部を二重筒構造とし、外側の筒体の一端から内部に流入させた空気をその流入側から吹出口に向かう気流とその流入側とは反対側から吹出口に向かう気流とに分け、これら両気流の風量比率を調節可能なように空気吹出部の構成を工夫した。
【０００７】
具体的には、本発明は、吹出口から吹き出る風の向きを調節可能な送風装置を対象とし、以下の解決手段を講じたものである。
【０００８】
すなわち、第１の発明は、両端が開放した筒状の内筒体と、この内筒体が長手方向においてスライド可能に収容された収容空間を有する筒状の外筒体とからなり、これら両筒体の間に筒間流路が設けられた二重筒構造を具備する空気吹出部と、この空気吹出部の内筒体のスライド動作を操作するスライド操作手段とを備えた構成を有する。外筒体は、一端に収容空間へ空気を流入する流入口が設けられた開口壁を有する一方、他端が閉塞壁で閉塞されている。この外筒体は、流入口から収容空間に流入した空気を筒間流路を通して外部に吹き出す吹出口を周壁に有する。また、内筒体の両開放端のうち、一方の開放端の開口は、外筒体の開口壁に向けられて流入口に対応し、他方の開口端の開口は、外筒体の閉塞壁に向けられている。このような内筒体及び外筒体からなる空気吹出部は、内筒体の両開放端が開口壁及び閉塞壁からそれぞれ離間した状態にあるとき、外筒体の収容空間に流入した空気を、内筒体の内部を通過せずに筒間流路を開口壁側から吹出口に流れる第１の気流と、内筒体の内部を通過して筒間流路を閉塞壁側から吹出口に流れる第１の気流とに分ける。そして、第１の発明は、スライド操作手段で内筒体をスライド移動させることにより、第１の気流の風量と第２の気流の風量との比率が変動し、吹出口から吹き出る風の向きが外筒体の長手方向で変えられることを特徴とする。
【０００９】
第２の発明は、第１の発明の送風装置において、空気吹出部が、収容空間に流入した空気を、筒間流路を吹出口に向かって外筒体の内周方向における一方回りに流れる第３の気流と他方回りに流れる第４の気流とに分け、これら第３の気流と第４の気流とを吹出口に向かって互いに交差する方向に導く構成を有する。外筒体の内部には、内筒体よりも吹出口側で筒間流路を第３の気流の流路と第４の気流の流路とに仕切り、これら両流路の外筒体の内周方向における流路長さ又は流路面積を規制する流路規制部が仕切り位置可変に設けられ、この流路規制部の仕切り位置の移動動作を操作する仕切り位置操作手段を備えている。そして、第２の発明は、仕切り位置操作手段で流路規制部による筒間流路での仕切り位置を変えることにより、第３の気流の風量と第４の気流の風量との比率が変動し、吹出口から吹き出る風の向きが外筒体の長手方向と直交する方向で変えられることを特徴とする。
【００１０】
第３の発明は、第２の発明の送風装置において、流路規制部が、内筒体と一体に形成され、この内筒体の外周面から外筒体の内周面に亘って仕切る仕切板であることを特徴とする。
【発明の効果】
【００１１】
第１の発明によれば、空気吹出部を外筒体内の収容空間に内筒体がその長手方向においてスライド可能に収容された二重筒構造とし、内筒体をスライド操作手段でスライド移動させることにより、外筒体の流入口からその内部の収容空間に流入した空気のうち、内筒体の内部を通過せずに筒間流路を開口壁側から吹出口に流れる第１の気流の風量と、内筒体の内部を通過して筒間流路を閉塞壁側から吹出口に流れる第２の気流の風量との比率が変動し、これによって吹出口から吹き出る風の向きが外筒体の長手方向で変えられるようにしたから、吹出口に風向きを制御するためのフィンを持たずに、簡単な構造で風向きを制御することができる。その結果、吹出口が目立たない見た目にシンプルな送風装置を実現でき、この送風装置を組み込んだ構造物の意匠性を向上させることができる。
【００１２】
第２の発明によれば、外筒体の内部に、筒間流路を外筒体の内周方向における一方回りに流れる第３の気流の流路と他方回りに流れる第４の気流の流路とに仕切る流路規制部を仕切り位置可変に設け、この流路規制部の仕切り位置を仕切り位置操作手段で変えることにより、第３の気流の風量と第４の気流の風量とが変動し、これによって吹出口から吹き出る風の向きが外筒体の長手方向と直交する方向で変えられるようにしたから、簡単な構造で多方向に風向きを制御することができる。
【００１３】
第３の発明によれば、流路規制部を内筒体と一体に形成するようにしたから、部品点数を少なくでき、装置構造をより簡単にすることができる。
【図面の簡単な説明】
【００１４】
【図１】図１は、本発明の実施形態１に係る送風装置を含む空調ユニットを備えたインストルメントパネルを車室内から見た正面図である。
【図２】図２は、本発明の実施形態１に係る送風装置を構成する空気吹出部の外観斜視図である。
【図３】図３は、図２のIII−III線における空気吹出部の横断面図である。
【図４】図４は、図２のIV−IV線における空気吹出部の縦断面図である。
【図５】図５は、本発明の実施形態１に係る送風装置を構成する空気吹出部の分解斜視図である。
【図６】図６（ａ）〜（ｃ）は、本発明の実施形態１に係る送風装置での左右方向における風向き制御のバリュエーションの一例を示す空気吹出部の横断面図である。
【図７】図７（ａ），（ｂ）は、本発明の実施形態１に係る送風装置での左右方向における風向き制御のバリュエーションの一例を示す空気吹出部の横断面図である。
【図８】図８（ａ）〜（ｃ）は、本発明の実施形態１に係る送風装置での上下方向における風向き制御のバリュエーションの一例を示す空気吹出部の縦断面図である。
【図９】図９（ａ），（ｂ）は、本発明の実施形態１に係る送風装置での上下方向における風向き制御のバリュエーションの一例を示す空気吹出部の縦断面図である。
【図１０】図１０は、本発明の実施形態２に係る送風装置を構成する空気吹出部の図３相当図である。
【図１１】図１１は、本発明の実施形態２に係る送風装置を構成する空気吹出部の図４相当図である。
【図１２】図１２（ａ）〜（ｃ）は、本発明の実施形態２に係る送風装置での上下方向における風向きのバリュエーションの一例を示す空気吹出部の縦断面図である。
【図１３】図１３は、本発明の実施形態３に係る送風装置を構成する空気吹出部の外観斜視図である。
【図１４】図１４は、図１３のXIV−XIV線における空気吹出部の横断面図である。
【図１５】図１５は、図１３のXV−XV線における空気吹出部の縦断面図である。
【図１６】図１６は、本発明の実施形態３に係る送風装置を構成する空気吹出部の分解斜視図である。
【図１７】図１７（ａ），（ｂ）は、本発明の実施形態３に係る送風装置での左右方向における風向き制御のバリュエーションの一例を示す空気吹出部の横断面図である。
【図１８】図１８は、本発明の実施形態３に係る送風装置での左右方向における風向き制御のバリュエーションの一例を示す空気吹出部の横断面図である。
【図１９】図１９（ａ）〜（ｅ）は、本発明の実施形態３に係る送風装置での上下方向における風向き制御のバリュエーションの一例を示す空気吹出部の横断面図である。
【発明を実施するための形態】
【００１５】
以下、本発明に係る実施形態を図面に基づいて詳細に説明する。なお、以下の各実施形態は、本質的に好ましい例示であって、本発明、その適用物、或いはその用途の範囲を制限することを意図するものではない。また、以下の各実施形態では、説明の便宜上、車両前後方向における前側を「前」、後側を「後」と称し、車高方向における上側を「上」、下側を「下」と称し、車両前方に向いて車幅方向における左側を「左」、右側を「右」と称する。
【００１６】
《発明の実施形態１》
この実施形態１では、本発明に係る送風装置について、これを適用した車両用の空調ユニットを例に挙げて説明する。
【００１７】
図１は、この車両用の空調ユニット１が組み込まれたインストルメントパネル１０１（二点鎖線で示す）のセンター部分から助手席側の部分を車室内から見た正面図である。図１に示すインストルメントパネル１０１は、車室前部でエンジンルームと車室とを区画するダッシュパネルの後方側（車室側）に装備されていて、車幅方向に延びるインパネレインフォースメント（不図示）に支持されて車体に取り付けられている。図示するインストルメントパネル１０１は、いわゆる右ハンドル仕様車用のパネルである。
【００１８】
このインストルメントパネル１０１のうち助手席の前側でグローブボックス（不図示）の上方位置には、同パネル１０１内に設置される空調ユニット１からの風を車室内空間に吹き送る送風口１０３が設けられている。この送風口１０３は、車幅方向に直線状に延びる細長いスリット形状に形成されている。また、インストルメントパネル１０１の車幅方向における中央部分には、空調ユニット１により送風される風の温度及び風量などを入力するダイヤル式の入力部を備えた操作パネルやオーディオ機器などのＡＶ機器（不図示）が取り付けられるセンターパネル部１０５が設けられている。
【００１９】
空調ユニット１は、このインストルメントパネル１０１の裏側に搭載され、インストルメントパネル１０１の送風口１０３を通して車室内空間へ空気を吹き送るようになっている。空調ユニット１は、図１に示すように、取り込んだ空気の温度を調節する空調装置３と、車室内又は車外の空気を取り込んで空調装置３に送り込むと共に、この空調装置３で温度調節された調和空気を送風する送風装置５とを備えている。
【００２０】
空調装置３は、インストルメントパネル１０１のうちセンターパネル部１０５の裏側に設置されている。この空調装置３は、図示しないが、例えば冷却用熱交換器と加熱用熱交換器とを備え、センターパネル部１０５に設けられた操作パネルの温度入力部と車室内の温度を検出する温度センサとからの入力信号に基づいて調和空気の目標温度を設定し、両熱交換器のうち少なくとも一方の熱交換器を駆動させることで目標温度に見合った温度の調和空気を生成するようになっている。
【００２１】
送風装置５は、車室内又は車外から取り入れた空気を送風するブロア７と、このブロア７で送風された空気を空調装置３に通す上流側ダクト８と、空調装置３で生成された調和空気を通す下流側ダクト９と、この下流側ダクト９を通して調和空気が流入され、その流入した調和空気を車室内空間に向けて吹き出す吹出口２２が設けられた細長いボックス形状の空気吹出部１１と、吹出口２２から吹き出る風の向きを手動で変えるための操作ノブ７９とを備えている。
【００２２】
すなわち、ブロア７と空調装置３とは上流側ダクト８で接続され、空調装置３と空気吹出部１１とは下流側ダクト９で接続されている。ブロア７は、上流側ダクト８、空調装置３及び下流側ダクト９を順に経由して空気吹出部１１に空気を送風する送風源である。空気吹出部１１は、その長手方向を車幅方向と平行な姿勢にした状態で、インストルメントパネル１０１のうち送風口１０３の直ぐ裏側に設置されている。
【００２３】
図２は、空気吹出部１１の左斜め後方から見た外観斜視図である。図３は、図２のIII−III線における空気吹出部１１の横断面図である。図４は、図２のIV−IV線における空気吹出部１１の縦断面図である。図５は、空気吹出部１１の分解斜視図である。なお、図３では、便宜上、内筒体１３及び流路規制体１９については断面ではなく上側から見た状態を示している。このことは、後に参照する図６（ａ）〜（ｃ）及び図７（ａ），（ｂ）においても同じである。また、図５では、空気吹出部１１を右斜め前方から見た分解状態を示している。
【００２４】
空気吹出部１１は、図２〜図５に示すように、筒状の内筒体１３と、この内筒体１３を長手方向、つまり左右方向においてスライド可能に収容する筒状の外筒体１５とからなり、これら両筒体１３，１５の間に空気を通す筒間流路１７が設けられた二重筒構造を具備する。また、外筒体１５の内部には、内筒体１３の後方で空気流路の流路面積を規制する流路規制部としての流路規制体１９が内筒体１３と共に収容されている。
【００２５】
外筒体１５は、内筒体１３を収容する収容空間２１ｓを有する筒体収容部２１と、この筒体収容部２１から当該外筒体１５の長手方向と直交する助手席側の方向、つまり後方に突出してその突出端に収容空間２１ｓと連通する吹出口２２を有する突出吹出部２３とを備える。突出吹出部２３は、筒体収容部２１の長手方向における全体に亘って形成されている。
【００２６】
また、外筒体１５は、図３に示すように、右端に収容空間２１ｓへ空気を流入する流入口２５が設けられた開口壁２７を有する一方、左端が閉塞壁２９で閉塞されている。流入口２５は、開口壁２７のうち筒体収容部２１に対応する中央部分から右側方に突出し、筒体収容部２１よりも前後上下の寸法が小さな円筒状に形成されている。外筒体１５は、この流入口２５に下流側ダクト９の一端が外嵌め等されることで、下流側ダクト９を介して空調装置３と接続される。
【００２７】
外筒体１５の筒体収容部２１を形成する周壁１５ａ部分は、図４に示すように、内筒体１３の外周面の形状に倣って湾曲し、突出吹出部２３側に開放した縦断面Ｕ字状に形成されている。この筒体収容部２１の内周面と内筒体１３の外周面との間隔は、内筒体１３の上側半体と下側半体とで上下対称となっている。すなわち、筒体収容部２１の筒間流路１７のうち上側半分の流路と下側半分の流路とは、当該筒体収容部２１の内周面に沿って同じ流路面積を有する。
【００２８】
そのことで、空気吹出部１１は、外筒体１５の収容空間２１ｓに流入した調和空気を、筒体収容部２１の筒間流路１７を突出吹出部２３の吹出口２２に向かって外筒体１５の内周方向における上側回り（空気吹出部１１を左側から見て時計回り）に流れる第３の気流としての上回り気流と、外筒体１５の内周方向における下側回り（空気吹出部１１を左側から見て反時計回り）に流れる第４の気流としての下回り気流とに均等に分けるようになっている。
【００２９】
突出吹出部２３は、図２及び図４に示すように、台形状の両端面を形成する中空の四角柱において互いに平行な一対の周側面のうち面積の広い方の壁面を開放したような形状を有している。具体的には、突出吹出部２３は、上下方向に対向する一対の対向壁としての上側傾斜壁３１及び下側傾斜壁３３と、これら上側傾斜壁３１と下側傾斜壁３３との間の空気流路を左右両側で塞ぐ一対のサイド壁３５，３７と、これら上側傾斜壁３１、下側傾斜壁３３及び一対のサイド壁３５，３７の突出端で囲まれた箇所に設けられた後端壁３９とで構成されている。
【００３０】
突出吹出部２３のうち一対のサイド壁３５，３７の間の間隔は一定であって、上側傾斜壁３１と下側傾斜壁３３との間隔だけが後端壁３９、つまり突出端に向かって狭まっている。一対のサイド壁３５，３７のうち左側のサイド壁３５は閉塞壁２９の一部であり、右側のサイド壁３７は開口壁２７の一部である。吹出口２２は、後端壁３９のうち左右両端部を除いた部分に、外筒体１５の長手方向において細長く延びるスリット状に形成されていて、流入口２５から収容空間２１ｓに流入した調和空気を筒間流路１７を通して外部に吹き出す。
【００３１】
この吹出口２２は、風向きを制御するためのフィンを持たないシンプルな開口であって、インストルメントパネル１０１の送風口１０３と前後方向において対応している。吹出口２２と送風口１０３とは、図示しないが、これら吹出口２２及び送風口１０３の両周縁部に全周に亘って密着する軟質のシール部材を挟み込んで接続されている。そのことで、製品誤差や組付けのばらつきによって吹出口２２と送風口１０３との間に隙間が形成されるのを防止している。
【００３２】
また、上側傾斜壁３１と下側傾斜壁３３とは、吹出口２２を境として上下方向における両側に位置しており、吹出口２２の開口中心線Ｃに対してそれぞれ傾斜している。上側傾斜壁３１は、外筒体１５の筒体収容部２１から後方に向かって斜め下方に延びている。他方、下側傾斜壁３３は、外筒体１５の筒体収容部２１から後方に向かって斜め上方に延びている。これら上側傾斜壁３１と下側傾斜壁３３との間には、収容空間２１ｓと連続する流路空間２３ｓが形成されている。
【００３３】
そして、上側傾斜壁３１及び下側傾斜壁３３における外筒体１５の内方に臨む内面３１ａ，３３ａ同士は、突出吹出部２３の基端側から吹出口２２に向かって互いに接近しており、上回り気流と下回り気流とを吹出口２２に向かって互いに交差する方向に導くようになっている。上側傾斜壁３１の内面３１ａは、筒体収容部２１に流れる上回り気流を吹出口２２に向かって斜め下方に導き、当該上側傾斜壁３１の内面３１ａに沿って下向きに流れる下向き気流を形成する。他方、下側傾斜壁３３の内面３３ａは、筒体収容部２１に流れる下回り気流を吹出口２２に向かって斜め上方に導き、当該下側傾斜壁３３の内面３３ａに沿って上向きに流れる上向き気流を形成する。
【００３４】
また、外筒体１５の内周面うち上側傾斜壁３１及び下側傾斜壁３３の各基端と筒体収容部２１との境界部分には、図４及び図５に示すように、当該外筒体１５の長手方向において直線状に延びるスライドガイド溝４１が上下方向に対応させて一対に設けられている。外筒体１５の周壁１５ａのうち各スライドガイド溝４１が設けられた部分は、その内側がスライドガイド溝４１で凹んでいる分だけ外方に突出しており、外筒体１５の長手方向において直線状に延びる突条部４３を形成している。
【００３５】
上記外筒体１５は、図２及び図５に示すように、上下方向において半割状に分割された樹脂製の上側分割体１６Ａと樹脂製の下側分割体１６Ｂとで構成されている。下側分割体１６Ｂの上端における外周縁部には、上方に向けて開口した挿入孔４４を有する複数のネジ留め突部４５が、外方に突出させて設けられており、下側分割体１６Ｂの周方向に間隔をあけて配置されている。他方、上側分割体１６Ａの下端における外周縁部のうち下側分割体１６Ｂのネジ留め突部４５に対応する箇所には、上下方向に貫通する挿通孔４６を有する小片板状の締結片４７が外方に突出させて設けられている。
【００３６】
そして、これら上側分割体１６Ａと下側分割体１６Ｂとは、各締結片４７の挿通孔４６を挿通させたタッピングネジ４９を当該締結片４７に対応するネジ留め突部４５の挿入孔４４にねじ込むことで、互いにネジ留めされて一体に連結されている。なお、ネジ留め突部４５と締結片４７とは、上側分割体１６Ａと下側分割体１６Ｂのうち互いに逆の分割体に設けられていてもよい。すなわち、ネジ留め突部４５が上側分割体１６Ａに設けられ、締結片４７が下側分割体１６Ｂに設けられていても構わない。
【００３７】
内筒体１３は、流路規制体１９と共に、これら上側分割体１６Ａと下側分割体１６Ｂとの間に収め入れられて一体に組み込まれている。この内筒体１３は、両端が開放したストレートな円筒形状の筒体本体５１と、この筒体本体５１を外筒体１５の内部で保持する筒体保持部５３とを備え、これら筒体本体５１と筒体保持部５３とが射出成形などで一体に成形された樹脂成形品である。
【００３８】
内筒体１３の筒体本体５１は、図３〜図５に示すように、流入口２５の内径よりも大きい外径を有している。また、筒体本体５１は、外筒体１５の収容空間２１ｓでのスライド移動を可能にすべく、外筒体１５の周壁１５ａのうち開口壁２７と閉塞壁２９との間の長さよりも長手方向に短く形成されている。この筒体本体５１の両開放端のうち右側開放端の開口５１ａは、外筒体１５の開口壁２７に向けられて流入口２５に対応している。また、この筒体本体５１における左側開放端の開口５１ｂは、外筒体１５の閉塞壁２９に向けられている。
【００３９】
そして、内筒体１３の筒体本体５１は、右側の開放端だけに、径方向内側へ突出した環状の絞り突片５５を有している。この絞り突片５５は、内筒体１３を収容空間２１ｓの左右方向における中央位置に配置させたときに、流入口２５から内筒体１３の筒体本体５１内に流入する空気量と、当該筒体本体５１内に流入しない空気量、つまり筒体本体５１の外側の筒間流路１７に流れる空気量とが同じ程度になるように、当該筒体本体５１内に流入する空気量を適度に制限するものである。
【００４０】
内筒体１３の筒体保持部５３は、筒体本体５１の左右両端部の後側に一対に設けられている。これら各筒体保持部５３は、上下方向に延びる長方形板状の支持板５７と、この支持板５７と内筒体１３の上下端とを連結する一対の連結補強部５８とを有し、支持板５７がその幅方向を内筒体１３の長手方向に沿わせて筒体本体５１と一体に形成された構造を具備する。
【００４１】
各支持板５７は、内筒体１３の筒体本体５１の外径よりも長く、この筒体本体５１よりも上下両側に突出している。この支持板５７のうち筒体本体５１よりも上方に突出した部分は、外筒体１５の上側のスライドガイド溝４１にスライド自在に嵌入するスライドガイド片５７ａを形成している。他方、支持板５７のうち筒体本体５１よりも下方に突出した部分は、外筒体１５の下側のスライドガイド溝４１にスライド自在に嵌入するスライドガイド片５７ｂを形成している。
【００４２】
内筒体１３は、これら上下両側にある一対のスライドガイド片５７ａ，５７ｂを外筒体１５のスライドガイド溝４１に嵌入させることで、外筒体１５の内周面から筒体本体５１を浮かせて収容空間２１ｓのうち上下方向における真ん中で突出吹出部２３側（後側）寄りの位置に保持されている。そして、内筒体１３は、スライドガイド片５７ａ，５７ｂをスライドガイド溝４１内で摺動させることにより、筒体本体５１の左側開放端が閉塞壁２９に当接する最左位置と、筒体本体５１の右側開放端が開口壁２７に当接する最右位置との間でスライドさせることが可能になっている。
【００４３】
空気吹出部１１では、内筒体１３を最左位置に配置させたとき、この内筒体１３の筒体本体５１内に空気が滞留し、外筒体１５の収容空間２１ｓに流入した調和空気の殆どが、当該筒体本体５１の内部に流入せずに筒間流路１７を開口壁２７側から吹出口２２に流れる第１の気流としての左向き気流を形成する（図６（ａ）参照）。また、内筒体１３を最右位置に配置させたとき、外筒体１５の収容空間２１ｓに流入した調和空気の全てが、当該筒体本体５１の内部を通過して筒間流路１７を閉塞壁２９側から吹出口２２に流れる第２の気流としての右向き気流を形成する（図６（ｂ）参照）。そして、内筒体１３をこれら最左位置及び最右位置以外のスライド可能位置に配置させたとき、つまり内筒体１３の筒体本体５１の両開放端が外筒体１５の開口壁２７及び閉塞壁２９からそれぞれ離間した状態にあるとき、外筒体１５の収容空間２１ｓに流入した調和空気が、その内筒体１３の左右のスライド位置に応じた風量で上記左向き気流と上記右向き気流とに分けられる（図６（ｃ）及び図７（ａ），（ｂ）参照）。
【００４４】
流路規制体１９は、内筒体１３の筒体保持部５３に対し上下方向においてスライド可能に取り付けられており、外筒体１５内部の内筒体１３よりも吹出口２２側、つまり突出吹出部２３内において上側傾斜壁３１と下側傾斜壁３３との間に配置されている。この流路規制体１９は、中空の三角柱において１つの側壁面を開放したような形状を有する規制体本体６１と、この規制体本体６１を内筒体１３に保持させるための保持ガイド段部６３と、操作ノブ７９を構成するノブ用突出片６５とを備え、これら規制体本体６１と保持ガイド段部６３とノブ用突出片６５とが射出成形などで一体に成形された樹脂成形品である。
【００４５】
規制体本体６１は、互いに傾斜した姿勢で上下方向に対向する上側規制壁６７及び下側規制壁６９と、これら上側規制壁６７と下側規制壁６９との間を左右両側で塞ぐ一対のサイド壁７１，７３とで構成されていて、外筒体１５の突出吹出部２３内の流路空間２３ｓ、つまり上側傾斜壁３１及び下側傾斜壁３３と内筒体１３との間の筒間流路１７を下向き気流の流路２４ａと上向き気流の流路２４ｂとに仕切っていて、これら両流路２４ａ，２４ｂの流路面積を規制している。流路規制体１９は、この規制体本体６１による仕切り位置をスライド動作で可変に設けられている。
【００４６】
上側規制壁６７及び下側規制壁６９は共に、外筒体１５の長手方向に延びる横長の長方形板状に形成されている。上側規制壁６７は、外筒体１５の突出吹出部２３のうち上側傾斜壁３１の内面３１ａに平行な姿勢で対向し、この上側傾斜壁３１との間に下向き気流を通す流路２４ａを形成する。他方、下側規制壁６９は、外筒体１５の突出吹出部２３のうち下側傾斜壁３３の内面３３ａに平行な姿勢で対向し、この下側傾斜壁３３との間に上向き気流を通す流路２４ｂを形成する。これら上側規制壁６７と下側規制壁６９とは、突出吹出部２３内の吹出口２２寄りの位置で後端同士が一体に連結され、吹出口２２に向いて角張った外向き辺６１ａを形成している。
【００４７】
各サイド壁７１，７３は、三角形板状に形成され、上側規制壁６７の前端部と下側規制壁６９の前端部との間で上下方向に延びる前縁部７１ａ，７３ａを有する。保持ガイド段部６３は、これら各サイド壁７１，７３の前縁部７１ａ，７３ａに、側方へ突出する凸状に設けられ、上下方向において直線状に延びている。この保持ガイド段部６３は、規制体本体６１とは反対側に位置する外側面に、斜め前方に臨むガイド面６３ａを有する。内筒体１３の各支持板５７のうち筒体本体５１の後側に対応する部分には、保持ガイド段部６３に引っ掛かる複数の係止爪７５が、後方へ突出し、上下方向において互いに間隔をあけて設けられている。
【００４８】
これら各係止爪７５は、後端側が内筒体１３の長手方向における中央側に向かって曲がった鉤状をなしており、内筒体１３の斜め後方内側に臨む当接面７５ａを有し、支持板５７との間に、保持ガイド段部６３が嵌合する嵌合凹部７６を形成している。この嵌合凹部７６の前後方向における幅は、保持ガイド段部６３の前後方向における幅と同程度である。そして、各係止爪７５は、当接面７５ａが保持ガイド段部６３のガイド面６３ａで押圧されたときに、内筒体１３の長手方向における外側に撓み、嵌合凹部７６への保持ガイド段部６３の進入を許容する。これによって、流路規制体１９を、内筒体１３の左右一対の筒体保持部５３に設けられた複数の係止爪７５の間に後側から嵌め入れて、内筒体１３に簡単に取り付けできるようになっている。
【００４９】
流路規制体１９は、このようにして左右両側にある一対の保持ガイド段部６３を嵌合凹部７６に嵌合させ、これら両保持ガイド段部６３に複数の係止爪７５を引っ掛けることで、これら複数の係止爪７５で左右両側から挟み込まれ、両保持ガイド段部６３が嵌合凹部７６内で上下方向において摺動可能な状態で内筒体１３に保持されている。そして、流路規制体１９は、保持ガイド段部６３を嵌合凹部７６内で摺動させることにより、上側規制壁６７が外筒体１５の突出吹出部２３のうち上側傾斜壁３１に当接する最上位置と、下側規制壁６９が外筒体１５の突出吹出部２３のうち下側傾斜壁３３に当接する最下位置との間で上下方向にスライド可能になっている。
【００５０】
空気吹出部１１では、この流路規制体１９を最上位置に配置させたとき、突出吹出部２３での上回り気流の流路２４ａが閉塞すると共に、下回り気流の流路２４ｂの流路面積が最大となり、外筒体１５の収容空間２１ｓに流入した調和空気が突出吹出部２３で全て上向き気流を形成する（図８（ａ）参照）。また、流路規制体１９を最下位置に配置させたとき、突出吹出部２３での下回り気流の流路２４ｂが閉塞すると共に、上回り気流の流路２４ａの流路面積が最大となり、外筒体１５の収容空間２１ｓに流入した調和空気が突出吹出部２３で全て下向き気流を形成する（図８（ｂ）参照）。そして、流路規制体１９を最上位置及び最下位置以外の位置に配置させたとき、つまり上側規制壁６７及び下側規制壁６９が外筒体１５の突出吹出部２３のうち上側傾斜壁３１及び下側傾斜壁３３からそれぞれ離間した状態にあるとき、外筒体１５の収容空間２１ｓに流入した調和空気が、その流路規制体１９による仕切り位置に応じた風量で上向き気流と下向き気流とに分けられる（図８（ｃ）及び図９（ａ），（ｂ）参照）。
【００５１】
ノブ用突出片６５は、この流路規制体１９のうち規制体本体６１の外向き辺６１ａの左右方向における中央部分に後方へ突出させて小片板状に設けられている。このノブ用突出片６５の後側部分には、ゴム製又は樹脂製のカバー部材７７が取り付けられている。操作ノブ７９は、これらノブ用突出片６５とカバー部材７７とで構成され、吹出口２２から送風口１０３を通して外部に突出している。この操作ノブ７９は、スライド操作手段と仕切り位置操作手段とを兼ねており、乗員が摘まんで上下左右にスライドさせることで、内筒体１３の左右のスライド動作と、流路規制体１９の上下のスライド動作、つまり流路規制体１９の仕切り位置の移動動作とを操作できるようになっている。
【００５２】
次に、この実施形態１の送風装置５の風向き制御について、図６〜図９を参照しながら説明する。図６（ａ）〜（ｃ）及び図７（ａ），（ｂ）は、送風装置５での左右方向における風向き制御のバリュエーションの一例を示す空気吹出部１１の横断面図である。図８（ａ）〜（ｃ）及び図９（ａ），（ｂ）は、送風装置５での上下方向における風向き制御のバリュエーションの一例を示す空気吹出部１１の縦断面図である。
【００５３】
まず、図６（ａ）〜（ｃ）及び図７（ａ），（ｂ）を参照しながら、送風装置５の吹出口２２から送風口１０３を通して車室内空間へ吹き出される風の向きを左右方向に制御する動作を説明する。なお、これら図６（ａ）〜（ｃ）及び図７（ａ），（ｂ）において、実線矢印は、空気吹出部１１の内部での調和空気の流れを概略的に示し、白抜き矢印は、外筒体１５の流入口２５から収容空間２１ｓへの調和空気の流れと、空気吹出部１１の吹出口２２から外部に吹き出る調和空気の流れとを概略的に示す。
【００５４】
送風装置５の吹出口２２から吹き出される風を最も左方に向けたい場合には、操作ノブ７９を左側にスライドさせることで、図６（ａ）に示すように、内筒体１３を流路規制体１９ごと左方へスライド移動させて最左位置に配置させる。
【００５５】
そうすると、内筒体１３の左側開放端の開口５１ｂが閉塞壁２９で閉塞されるので、流入口２５から外筒体１５の収容空間２１ｓに流入した調和空気は、内筒体１３の筒体本体５１内に殆ど流入せず、その多くが開口壁２７側で当該筒体本体５１の外側の筒間流路１７に流れる。そして、その収容空間２１ｓの開口壁２７側で筒間流路１７に流れた調和空気は、外筒体１５の内部と外部との気圧差により吹出口２２側に誘導される結果、吹出口２２に向かって斜め左方に流れる左向き気流に変わり、吹出口２２からそのまま斜め左方に吹き出される。こうして、吹出口２２から吹き出される風の向きを最も左方に向けることができる。
【００５６】
また、送風装置５の吹出口２２から吹き出される風を最も右方に向けたい場合には、操作ノブ７９を右側にスライドさせることで、図６（ｂ）に示すように、内筒体１３を流路規制体１９ごと右方へスライド移動させて最右位置に配置させる。
【００５７】
そうすると、外筒体１５の流入口２５が内筒体１３の右側開放端で取り囲まれるので、流入口２５から外筒体１５の収容空間２１ｓに流入した調和空気は、全て内筒体１３の筒体本体５１内に流入し、当該筒体本体５１の内部を通過して収容空間２１ｓを閉塞壁２９側に送られ、閉塞壁２９側から筒間流路１７に流れる。そして、外筒体１５の収容空間２１ｓを閉塞壁２９側から筒間流路１７に流れた調和空気は、外筒体１５の内部と外部との気圧差により吹出口２２側に誘導される結果、吹出口２２に向かって斜め右方に流れる右向き気流に変わり、吹出口２２からそのまま斜め右方に吹き出される。こうして、吹出口２２から吹き出される風の向きを最も右方に向けることができる。
【００５８】
また、送風装置５の吹出口２２から吹き出される風の向きを左右方向における中央に向けたい場合には、操作ノブ７９を左右方向におけるスライド可能幅の中央位置にスライドさせることで、図６（ｃ）に示すように、内筒体１３を外筒体１５の収容空間２１ｓで左右方向における中央位置に配置させる。
【００５９】
そうすると、外筒体１５の収容空間２１ｓに流入した調和空気は、外筒体１５の内部と外部との気圧差により、内筒体１３の筒体本体５１内部を通過せずに筒間流路１７を開口壁２７側から吹出口２２に流れる左向き気流と、内筒体１３の筒体本体５１内部を通過して筒間流路１７を閉塞壁２９側から吹出口２２に流れる右向き気流とに分けられる。そして、これら左向き気流と右向き気流とは、吹出口２２及びその付近で衝突しつつ合流し、吹出口２２から外部に吹き出される。このとき、左向き気流の風量と右向き気流の風量とが同じ程度になるので、これら両気流を生成する調和空気は、吹出口２２から左右方向における中央に向けて吹き出される。こうして、吹出口２２から吹き出される風の向きを左右方向の中央に向けることができる。
【００６０】
また、送風装置５の吹出口２２から吹き出される風の向きを左右方向における中央向きに対して若干左方に向けたい場合には、操作ノブ７９を左右方向におけるスライド可能幅の中央位置から若干左側の位置にスライドさせることにより、図７（ａ）に示すように、内筒体１３を外筒体１５の収容空間２１ｓで左寄りの位置に配置させる。
【００６１】
そうすると、内筒体１３のうち左側開放端の開口５１ｂが閉塞壁２９に近接して閉塞気味になると共に、内筒体１３のうち右側開放端の開口５１ａが開口壁２７から離間してその右側開放端と開口壁２７との間から筒間流路１７に抜ける流路が相対的に大きくなる。この場合にも、外筒体１５の収容空間２１ｓに流入した調和空気は、左向き気流と右向き気流とに分けられ、吹出口２２及びその付近で衝突しつつ合流し、吹出口２２から外部に吹き出される。そして、この場合、左向き気流の風量が右向き気流の風量よりも大きくなるので、これら両気流を生成する調和空気は、左向き気流に押されて吹出口２２から左向き加減で吹き出される。こうして、吹出口２２から吹き出される風の向きを若干左方に向けることができる。
【００６２】
また、送風装置５の吹出口２２から吹き出される風の向きを左右方向における中央向きに対して若干右方に向けたい場合には、操作ノブ７９を左右方向におけるスライド可能幅の中央位置から若干右側の位置にスライドさせることにより、図７（ｂ）に示すように、内筒体１３を外筒体１５の収容空間２１ｓで右寄りの位置に配置させる。
【００６３】
そうすると、内筒体１３のうち左側開放端の開口５１ｂが閉塞壁２９から離間してその左側開放端と閉塞壁２９との間から筒間流路１７に抜ける流路が相対的に大きくなると共に、内筒体１３のうち右側開放端の開口５１ａが開口壁２７に近接してその右側開放端と開口壁２７との間から筒間流路１７に抜ける流路が相対的に小さくなる。この場合にも、外筒体１５の収容空間２１ｓに流入した調和空気は、左向き気流と右向き気流とに分けられ、吹出口２２及びその付近で衝突しつつ合流し、吹出口２２から外部に吹き出される。。そして、この場合、右向き気流の風量が左向き気流の風量よりも大きくなるので、外筒体１５の収容空間２１ｓに流入された調和空気は、右向き気流に押されて吹出口２２から右向き加減で吹き出される。こうして、吹出口２２から吹き出される風の向きを若干右方に向けることができる。
【００６４】
次に、図８（ａ）〜（ｃ）及び図９（ａ），（ｂ）を参照しながら、送風装置５の吹出口２２から送風口１０３を通して車室内空間へ吹き出される風の向きを上下方向に制御する動作を説明する。なお、これら図８（ａ）〜（ｃ）及び図９（ａ），（ｂ）において、実線矢印は、空気吹出部１１の内部での調和空気の流れを概略的に示し、白抜き矢印は、空気吹出部１１の吹出口２２から外部に吹き出る調和空気の流れを概略的に示している。
【００６５】
送風装置２の吹出口２２から吹き出される風の向きを最も上方に向けたい場合には、操作ノブ７９を押し上げることで、図８（ａ）に示すように、流路規制体１９を上方へスライド移動させて最上位置に配置させる。
【００６６】
そうすると、外筒体１５のうち突出吹出部２３内の下向き気流の流路２４ａが流路規制体１９で閉塞されるので、外筒体１５の収容空間２１ｓに流入した調和空気は、外筒体１５の内部と外部との気圧差により、外筒体１５の内周方向における下側回りに流れて突出吹出部２３で全て上向き気流となり、吹出口２２からそのまま斜め上方に吹き出される。こうして、吹出口２２から吹き出される風の向きを最も上方に向けることができる。
【００６７】
また、送風装置５の吹出口２２から吹き出される風の向きを最も下方に向けたい場合には、操作ノブ７９を押し下げることで、図８（ｂ）に示すように、流路規制体１９を下方へスライド移動させて最下位置に配置させる。
【００６８】
そうすると、外筒体１５のうち突出吹出部２３内の上向き気流の流路２４ｂが流路規制体１９で閉塞されるので、外筒体１５の収容空間２１ｓに流入した調和空気は、外筒体１５の内部と外部との気圧差により、外筒体１５の内周方向における上側回りに流れて突出吹出部２３で全て下向き気流となり、吹出口２２からそのまま斜め下方に吹き出される。こうして、吹出口２２から吹き出される風の向きを最も下方に向けることができる。
【００６９】
また、送風装置５の吹出口２２から吹き出される風の向きを上下方向における中央に向けたい場合には、操作ノブ７９を上下方向におけるスライド可能幅の中央位置にスライドさせることにより、図８（ｃ）に示すように、流路規制体１９を外筒体１５の突出吹出部２３内で上下方向における中央位置に配置させる。
【００７０】
そうすると、外筒体１５の収容空間２１ｓに流入した調和空気は、外筒体１５の内部と外部との気圧差により、外筒体１５の内周方向における上側回りに流れる上回り気流と、外筒体１５の内周方向における下側回りに流れる下回り気流とに分けられる。そして、上回り気流は突出吹出部２３で下向き気流になる一方、下回り気流は突出吹出部２３で上向き気流になり、これら下向き気流と上向き気流とは、吹出口２２及びその付近で衝突しつつ合流し、吹出口２２から外部に吹き出される。このとき、下向き気流の風量と上向き気流の風量とは同じ程度になるので、これら両気流を生成する調和空気は、吹出口２２から上下方向における中央に向けて吹き出される。こうして、吹出口２２から吹き出される風の向きを上下方向の中央に向けることができる。
【００７１】
また、送風装置５の吹出口２２から吹き出される風の向きを上下方向における中央向きに対して若干上方に向けたい場合には、操作ノブ７９を上下方向におけるスライド可能幅の中央位置から若干上側の位置にスライドさせることにより、図９（ａ）に示すように、流路規制体１９を外筒体１５の突出吹出部２３内で上寄りの位置に配置させる。
【００７２】
そうすると、流路規制体１９の上側規制壁６７が外筒体１５の突出吹出部２３のうち上側傾斜壁３１に接近し、これら上側規制壁６７と上側傾斜壁３１との間の下向き気流の流路２４ａの流路面積が狭められて閉塞気味になると共に、流路規制体１９の下側規制壁６９が外筒体１５の突出吹出部２３のうち下側傾斜壁３３から離間してこれら下側規制壁６９と下側傾斜壁３３との間の上向き気流の流路２４ｂの流路面積が相対的に広くなる。この場合にも、外筒体１５の収容空間２１ｓに流入した調和空気は、上回り気流と下回り気流とに分けられ、突出吹出部２３で下向き気流と上向き気流となり、吹出口２２及びその付近で衝突しつつ合流し、吹出口２２から外部に吹き出される。そして、この場合、上向き気流の風量が下向き気流の風量よりも大きくなるので、これら両気流を生成する調和空気は、上向き気流に押されて吹出口２２から上向き加減で吹き出される。こうして、吹出口２２から吹き出される風の向きを若干上方に向けることができる。
【００７３】
また、送風装置５の吹出口２２から吹き出される風の向きを上下方向における中央向きに対して若干下方に向けたい場合には、操作ノブ７９を上下方向におけるスライド可能幅の中央位置から若干下側の位置にスライドさせることにより、図９（ｂ）に示すように、流路規制体１９を外筒体１５の突出吹出部２３内で下寄りの位置に配置させる。
【００７４】
そうすると、流路規制体１９の下側規制壁６９が外筒体１５の突出吹出部２３のうち下側傾斜壁３３に接近し、これら下側規制壁６９と下側傾斜壁３３との間の上向き気流の流路２４ｂの流路面積が狭められて閉塞気味になると共に、流路規制体１９の上側規制壁６７が外筒体１５の突出吹出部２３のうち上側傾斜壁３１から離間してこれら上側規制壁６７と上側傾斜壁３１との間の下向き気流の流路２４ａの流路面積が相対的に広くなる。この場合にも、外筒体１５の収容空間に流入した調和空気は、上回り気流と下回り気流とに分けられ、突出吹出部２３で下向き気流と上向き気流となり、吹出口２２及びその付近で衝突しつつ合流し、吹出口２２から外部に吹き出される。そして、この場合、下向き気流の風量が上向き気流の風量よりも大きくなるので、これら両気流を生成する調和空気は、下向き気流に押されて吹出口２２から下向き加減で吹き出される。こうして、吹出口２２から吹き出される風の向きを若干下方に向けることができる。
【００７５】
以上の如く、送風装置５は、操作ノブ７９で内筒体１３をスライド移動させることにより、左向き気流の風量と右向き気流の風量との比率を変動させて、吹出口２２から吹き出る風の向きを左右方向で変えることができ、且つ、操作ノブ７９で流路規制体１９による外筒体１５の突出吹出部２３内の筒間流路１７での仕切り位置を変えることにより、上向き気流の風量と下向き気流の風量との比率を変動させて、吹出口２２から吹き出る風の向きを上下方向で変えることができる。また、これら上下方向と左右方向との風向き制御の組合せによれば、吹出口２２から吹き出る風の向きを上下方向と左右方向との中間方向、つまり、左上方向、右上方向、左下方向及び右下方向にも変えることができる。
【００７６】
−実施形態１の効果−
この実施形態１によると、調和空気を吹き出す吹出口２２に風向きを制御するためのフィンを持たずに、簡単な構造で吹出口２２から吹き出る風の向きを上下左右で調節することができる。これにより、吹出口２２が目立たなく見た目にシンプルな送風装置５を実現でき、この送風装置５を組み込んだインストルメントパネル１０１の意匠性を向上させることができる。しかも、空気吹出部１１及び下流側ダクト９は、車両前後方向に設置スペースを大きく必要としないので、設置箇所の自由度が高くなり、従来は設置の難しかった助手席の正面におけるインストルメントパネル１０１の裏側にも設置することができる。
【００７７】
《発明の実施形態２》
この実施形態２に係る送風装置５を備えた空調ユニット１は、空気吹出部１１の構成が上記実施形態１と異なる。なお、以降の各実施形態では、空調ユニット１について上記実施形態１と異なる構成のみを説明し、同一の構成箇所については、同じ参照符号を付し、図１〜図９に基づく上記実施形態１の説明に譲ることにして、その詳細な説明を省略する。
【００７８】
図１０は、この実施形態２に係る送風装置５を構成する空気吹出部１１の図３相当図である。図１１は、この空気吹出部１１の図４相当図である。上記実施形態１では、外筒体１５の筒体収容部２１を形成する周壁１５ａ部分が内筒体１３の外周面の形状に倣って湾曲した縦断面Ｕ字状に形成されているとしたが、この実施形態２では、当該周壁１５ａ部分は、突出吹出部２３側に開放した縦断面コ字状に形成されている。
【００７９】
また、上記実施形態１では、流路規制体１９として、上下方向のスライド動作を以て外筒体１５の突出吹出部２３内での上向き気流の風量と下向き気流の風量との比率を変動させる形態の部材を説明としたが、この実施形態２の流路規制体２０は、外筒体１５の長手方向に沿う所定の軸を中心とした回転動作を以て、外筒体１５の突出吹出部２３内での上向き気流の風量と下向き気流の風量との比率を変動させるようになっている。
【００８０】
流路規制体２０は、内筒体１３の筒体保持部５３に対し上記所定の軸回りに回動可能に取り付けられ、上記実施形態１と同様に外筒体１５の突出吹出部２３内に配置されている。この流路規制体２０は、扁平な長方形筒状に形成された規制体本体６２と、ノブ用突出片６５とを備え、これら規制体本体６２とノブ用突出片６５とが射出成形などで一体に成形された樹脂成形品である。
【００８１】
規制体本体６２は、互いに間隔をあけて対向する上側規制壁６８及び下側規制壁７０と、これら上側規制壁６８と下側規制壁７０との間の空間を左右両側で塞ぐ一対のサイド壁７２，７４とで構成されている。この規制体本体６２は、上側規制壁６８及び下側規制壁７０と一対のサイド壁７２，７４とで囲まれたサブ流路８０を内部に有し、上側規制壁６８及び下側規制壁７０を外筒体１５の長手方向に沿わせた姿勢で突出吹出部２３内の筒間流路１７を下向き気流の流路２４ａと上向き気流の流路２４ｂとに仕切っている。流路規制体２０は、この規制体本体６２による仕切り位置を回転動作で可変に設けられている。
【００８２】
上側規制壁６８と下側規制壁７０とは、共に長方形板状に形成され、吹出口２２に向かって若干接近するように互いに略平行に設けられている。そのことで、サブ流路８０の後端開口である流出口８０ａは、前端開口である流入口８０ｂよりも少しだけ狭められている。規制体本体６２のサブ流路８０の流出口８０ａを図１１に示すように真っ直ぐ後方へ吹出口２２に向けた状態としたとき、上側規制壁６８は、外筒体１５の突出吹出部２３のうち上側傾斜壁３１の内面３１ａと対向し、この上側傾斜壁３１との間に下向き気流を通す流路２４ａを形成する一方、下側規制壁７０は、外筒体１５の突出吹出部２３のうち下側傾斜壁３３の内面３３ａと対向し、この下側傾斜壁３３との間に上向き気流を通す流路２４ｂを形成する。
【００８３】
各サイド壁７２，７４の中央部分には、軸孔７８が形成されている。内筒体１３の各筒体保持部５３のうち支持板５７の上下方向における中央部分には、後方に延びる規制体ブラケット５４が設けられている。各規制体ブラケット５４の後端部には、内筒体１３の長手方向における内側に突起した回転軸部５６が設けられている。つまり、回転軸部５６は、左側の規制体ブラケット５４では右側に、右側の規制体ブラケット５４では左側にそれぞれ突起させて設けられている。これら両規制体ブラケット５４の回転軸部５６同士は、左右方向において互いに対峙している。
【００８４】
流路規制体２０は、各規制体ブラケット５４の回転軸部５６を対応するサイド壁７２，７４の軸孔７８に挿入して当該サイド壁７２，７４で枢支されていることにより、内筒体１３に保持されている。そのことで、この流路規制体２０は、上側規制壁６８の後端が外筒体１５の突出吹出部２３のうち上側傾斜壁３１に当接して規制体本体６２が吹出口２２に向かって最も上向きに傾斜する最上傾位置と、下側規制壁７０の後端が外筒体１５の突出吹出部２３のうち下側傾斜壁３３に当接して規制体本体６２が吹出口２２に向かって最も下向きに傾斜する最下傾位置との間で回転可能になっている。
【００８５】
空気吹出部１１では、この流路規制体１９を最上傾位置に配置させたとき、下向き気流の流路２４ａが閉塞すると共に、下側規制壁７０と下側傾斜壁３３とが互いに平行な姿勢で対向して下側規制壁７０の後端部と下側傾斜壁３３との間の上向き気流の流路２４ｂの流路面積が最大となる（図１２（ａ）参照）。また、流路規制体１９を最下傾位置に配置させたとき、上向き気流の流路２４ｂが閉塞すると共に、上側規制壁６８と上側傾斜壁３１とが互いに平行な姿勢で対向して上側規制壁６８の後端部と上側傾斜壁３１との間の下向き気流の流路２４ａの流路面積が最大となる（図１２（ｂ）参照）。そして、流路規制体２０を最上傾位置及び最下傾位置以外の位置に配置させたとき、つまり上側規制壁６８及び下側規制壁７０が外筒体１５の突出吹出部２３のうち上側傾斜壁３１及び下側傾斜壁３３からそれぞれ離間した状態にあるとき、外筒体１５の収容空間２１ｓに流入した調和空気が、その流路規制体２０による仕切り位置に応じた風量で上向き気流と下向き気流とに分けられる（図１２（ｃ）参照）。
【００８６】
また、規制体本体６２には、上側規制壁６８及び下側規制壁７０の左右方向における中央部分同士を連結する小片板状の連結片８１が設けられている。ノブ用突出片６５は、この連結片８１に後方へ突出させて設けられている。そして、上記実施形態１と同様に、このノブ用突出片６５の後側部分にはカバー部材７７が取り付けられていて、これらノブ用突出片６５とカバー部材７７とで、スライド操作手段と仕切り位置操作手段とを兼ねる操作ノブ７９が構成されている。
【００８７】
次に、この実施形態２の送風装置５の風向き制御について、図１２を参照しながら説明する。図１２（ａ）〜（ｃ）は、送風装置５での上下方向における風向き制御のバリュエーションの一例を示す空気吹出部１１の縦断面図である。
【００８８】
送風装置２の吹出口２２から吹き出される風の向きを最も上方に向けたい場合には、操作ノブ７９を押し上げることで、図１２（ａ）に示すように、流路規制体１９を上方へ回転移動させて最上傾位置に配置させる。
【００８９】
そうすると、外筒体１５のうち突出吹出部２３内の下向き気流の流路２４ａが流路規制体１９で閉塞されると共に、規制体本体６２のサブ流路８０における流入口８０ｂが下方に、流出口８０ａが上方にそれぞれ向くので、外筒体１５の収容空間２１ｓに流入した調和空気は、外筒体１５の内部と外部との気圧差により、外筒体１５の内周方向における下回りに流れて突出吹出部２３で全て上向き気流となり、下側規制壁７０と下側傾斜壁３３との間の上向き気流の流路２４ｂと規制体本体６２のサブ流路８０とを通して吹出口２２からそのまま斜め上方に吹き出される。こうして、吹出口２２から吹き出される風の向きを最も上方に向けることができる。
【００９０】
また、送風装置５の吹出口２２から吹き出される風の向きを最も下方に向けたい場合には、操作ノブ７９を押し下げることで、図１２（ｂ）に示すように、流路規制体１９を下方へ回転移動させて最下傾位置に配置させる。
【００９１】
そうすると、外筒体１５のうち突出吹出部２３内の上向き気流の流路２４ｂが流路規制体１９で閉塞されると共に、規制体本体６２のサブ流路８０における流入口８０ｂが上方に、流出口８０ａが下方にそれぞれ向くので、外筒体１５の収容空間２１ｓに流入した調和空気は、外筒体１５の内部と外部との気圧差により、外筒体１５の内周方向における上側回りに流れて突出吹出部２３で全て下向き気流となり、上側規制壁６８と上側傾斜壁３１との間の下向き気流の流路２４ａと規制体本体６２のサブ流路８０とを通して吹出口２２からそのまま斜め下方に吹き出される。こうして、吹出口２２から吹き出される風の向きを最も下方に向けることができる。
【００９２】
また、送風装置５の吹出口２２から吹き出される風の向きを上下方向における中央に向けたい場合には、操作ノブ７９を上下方向における回動可能幅の中央位置に回転移動させることにより、図１２（ｃ）に示すように、流路規制体２０をサブ流路８０の流出口８０ａが吹出口２２に真っ直ぐ向く位置に配置させる。
【００９３】
そうすると、外筒体１５の収容空間２１ｓに流入した調和空気は、外筒体１５の内部と外部との気圧差により、外筒体１５の内周方向における上側回りに流れる上回り気流と、外筒体１５の内周方向における下側回りに流れる下回り気流とに分けられる。そして、上回り気流は突出吹出部２３で下向き気流になる一方、下回り気流は突出吹出部２３で上向き気流になる。これら下向き気流及び上向き気流と規制体本体６２のサブ流路８０を通って吹出口２２に流れる気流とは、吹出口２２及びその付近で衝突しつつ合流し、吹出口２２から外部に吹き出される。このとき、下向き気流の風量と上向き気流の風量とは同じ程度になるので、これら両気流を生成する調和空気は、吹出口２２から上下方向における中央に向けて吹き出される。こうして、吹出口２２から吹き出される風の向きを上下方向の中央に向けることができる。
【００９４】
その他、送風装置５の吹出口２２から吹き出される風の向きを上下方向における上記以外の方向に向けたい場合には、下向き気流の風量と上向き気流の風量とがその吹出口２２からの風を向けたい方向に応じた比率となるように操作ノブ７９で流路規制体２０を回転移動させて、突出吹出部２３内での流路規制体２０の仕切り位置を変える。そのことにより、吹出口２２から吹き出される風の向きを上下方向における所望の方向に向けることができる。
【００９５】
−実施形態２の効果−
この実施形態２によっても、上記実施形態１と同様な効果を得ることができる。
【００９６】
《発明の実施形態３》
図１３は、この実施形態３に係る送風装置５を構成する空気吹出部１１の左斜め後方から見た外観斜視図である。図１４は、図１３のXIV−XIV線における空気吹出部１１の横断面図である。図１５は、図１３のXV−XV線における空気吹出部１１の縦断面図である。図１６は、空気吹出部１１の分解斜視図である。なお、図１６は、空気吹出部１１を右斜め前方から見た分解状態を示している。
【００９７】
上記実施形態１では、突出吹出部２３が筒体収容部２１の長手方向における全体に亘って形成されているとしたが、この実施形態３における外筒体１５の突出吹出部２３は、図１３、図１４及び図１６に示すように、筒体収容部２１の長手方向における中央部分、つまり筒体収容部２１の左右方向における両端部を除く部分に形成されている。外筒体１５の筒体収容部２１を形成する周壁１５ａ部分のうち、突出吹出部２３が設けられた部分は、内筒体１３の外周面の形状に倣って湾曲し、突出吹出部２３側に開放した縦断面Ｕ字状に形成される一方、この突出吹出部２３から左右両側に外れた両端部は、円筒状に形成されている。
【００９８】
また、上記実施形態１では、突出吹出部２３内で下向き気流の流路２４ａと上向き気流の流路２４ｂとの流路面積を規制する流路規制体１９が内筒体１３とは別体で設けられているとしたが、この実施形態３では、図１４〜図１６に示すように、流路規制体１９に代えて、筒間流路１７を上回り気流の流路１７ａと下回り気流の流路１７ｂとに仕切る流路規制部としての可動仕切板８２が内筒体１３と一体に形成され、内筒体１３がその筒中心線を中心として回転可能に外筒体１５の収容空間２１ｓに収容されている。
【００９９】
内筒体１３は、上記実施形態１と同様な筒体本体５１と、この筒体本体５１を外筒体１５の内部で収容空間２１ｓにスライド及び回転可能に保持する筒体保持部８３とを備え、これら筒体本体５１と筒体保持部８３とを射出成形などで一体に成形された樹脂成形品である。筒体保持部８３は、筒体本体５１の長手方向における両端部に一対に設けられている。これら各筒体保持部８３は、外筒体１５の円筒状部分の内周面に外周面を当接させて配置される円環状の外輪部８４と、この外輪部８４と筒体本体５１とを連結する複数（図１５及び図１６に示す例では４つ）の連結片８５とを備えている。
【０１００】
各連結片８５は、内筒体１３から外輪部８４の半径方向に真っ直ぐ延びる小片板状に形成されている。これら複数の連結片８５は、互いに間隔をあけて、例えば筒体本体５１の上下左右に四方へ放射状に延びるように配置されている。筒体保持部８３は、このように隣り合う連結片８５の間を通して筒間流路１７へ調和空気を送れるようになっている。左右一対の筒体保持部８３の連結片８５同士は、左右方向において対応する位置に設けられている。
【０１０１】
そして、可動仕切板８２は、筒体本体５１の前側に位置する左右一対の連結片８５の間に、これら両連結片８５と一体に設けられ、内筒体１３の長手方向に延びる横長の長方形板状に形成されている。この可動仕切板８２は、外筒体１５内の吹出口２２に対応する位置において、筒間流路１７を内筒体１３の筒体本体５１から外筒体１５の内周面である円周状面２１ａに亘って上回り気流の流路１７ａと下回り気流の流路１７ｂとに半径方向に仕切り、これら両流路１７ａ，１７ｂの外筒体１５の内周方向における流路長さを規制する。
【０１０２】
可動仕切板８２のうち外筒体１５の円周状面２１ａ側に位置する外端は、その円周状面２１ａに接しているか、若しくは外筒体１５の円周状面２１ａから若干離間してその円周状面２１ａに近接した状態となっている。この可動仕切板８２は、内筒体１３の回転動作に伴い、内筒体１３と一体に外筒体１５の内周面に沿う方向に回転し、筒間流路１７での仕切り位置を変えることが可能になっている。外筒体１５の収容空間２１ｓに流入した調和空気は、この可動仕切板８２の仕切り位置に応じた風量で上回り気流と下回り気流とに分離される。
【０１０３】
上回り気流と下回り気流とは、外筒体１５の内周面に沿う方向における可動仕切板８２から吹出口２２までの当該気流の流路１７ａ，１７ｂの長さが長いほど、当該気流の吹出口２２から吹き出る際の指向性が高まる上に、当該気流が流れる空間が拡大し、それに伴い当該気流の風量が増大する。このことから、送風装置５は、可動仕切板３３の仕切り位置を変えることによって、上回り気流の風量と下回り気流の風量との比率が変動し、吹出口２２から吹き出る風の向きを上下方向で変えることができる。
【０１０４】
また、上記実施形態１では、内筒体１３のスライド動作を操作するスライド操作手段と流路規制体１９の仕切り位置の移動動作を操作する仕切り位置操作手段とを兼ねる操作ノブ７９が空気吹出部１１に設けられ、手動で風向きを変えられる構成を説明したが、この実施形態３では、この操作ノブ７９に代えて、内筒体１３の回転動作を操作する回転操作機構９０と、内筒体１３のスライド動作を操作するスライド操作機構９１とを備え、センターパネル部１０５に取り付けられた操作パネルの風向入力部からの入力信号に応じて自動で風向きを変えられるようになっている。
【０１０５】
内筒体１３の左端部内側には、回転軸８９を受ける軸受け部８６が設けられている。この軸受け部８６は、回転軸８９が挿通される環状の保持部８７と、この保持部８７と内筒体１３の内周面とを連結する複数の連結片８８とを備えている。各連結片８８は、保持部８７から内筒体１３の半径方向に真っ直ぐ延びる小片板状に形成されている。これら複数の連結片８８は、互いに間隔をあけて、例えば保持部８７の上下左右の四方へ放射状に延びるように配置されている。軸受け部８６は、このように隣り合う連結片８８の間を通して内筒体１３内から閉塞壁２９側へ調和空気を送れるようになっている。
【０１０６】
回転軸８９は、この軸受け部８６の保持部８７に挿通され、閉塞壁２９に形成された挿通孔３０を通して空気吹出部１１の左方に突出している。回転操作機構９０は、この回転軸８９に設けられた従動ギヤ９２と、この従動ギヤ９２と噛み合う駆動ギヤ９３が出力軸に設けられた第１モータ９４とを有する。第１モータ９４は、正転と逆転とで回転方向を切替え可能なモータである。可動仕切板８２は、この第１モータ９４を駆動させて、駆動ギヤ９３の回転動力が従動ギヤ９２を介し回転軸８９に伝達されることで、内筒体１３ともども回転する。
【０１０７】
第１モータ９４はモータ取付座９５に取り付けられている。このモータ取付座９５には回転軸８９の左端部に設けられたフランジ状部分８９ａを挟んで固定する固定構造９５ａが設けられていて、回転軸８９がこの固定構造９５ａでモータ取付座９５に固定されている。また、モータ取付座９５は、回転軸８９に沿って設けられたギヤ部９５ｂを有する。スライド操作機構９１は、このモータ取付座９５のギヤ部９５ｂと噛み合う駆動ギヤ９６が出力軸に設けられた第２モータ９７を有する。この第２モータ９７も、正転と逆転とで回転方向を切替え可能なモータである。内筒体１３は、この第２モータ９７を駆動させて、駆動ギヤ９６の回転動力でモータ取付座９５のギヤ部９５ｂを左右方向に送ることにより、モータ取付座９５ともどもスライド移動する。
【０１０８】
上記構成の送風装置５では、回転操作機構９０で内筒体１３と共に可動仕切板８２を回転させてその可動仕切板８２による筒間流路１７での仕切り位置を変えることにより、吹出口２２から送風口１０３を通して車室内空間に吹き送られる風の向きが上下方向に変えられ、且つ、スライド操作機構９１で内筒体１３を左右にスライド移動させることにより、吹出口２２から送風口１０３を通して車室内空間に吹き送られる風の向きが左右方向で変えられる。
【０１０９】
次に、この実施形態３の送風装置５の風向き制御について、図１７〜図１９を参照しながら説明する。図１７（ａ），（ｂ）及び図１８は、送風装置５での左右方向における風向き制御のバリュエーションの一例を示す空気吹出部１１の横断面図である。図１９（ａ）〜（ｃ）は、送風装置５での上下方向における風向き制御のバリュエーションの一例を示す空気吹出部１１の縦断面図である。
【０１１０】
まず、図１７（ａ），（ｂ）及び図１８を参照しながら、送風装置５の吹出口２２から送風口１０３を通して車室内空間へ吹き出される風の向きを左右方向に制御する動作を説明する。
【０１１１】
送風装置５は、風向入力部から風向きを最も左方に設定する入力信号が入力された場合には、必要に応じてスライド操作機構９１の第２モータ９７を駆動させて内筒体１３をスライド移動させることにより、図１７（ａ）に示すように内筒体１３を最左位置に配置させる。
【０１１２】
そうすると、内筒体１３の左側開放端の開口５１ｂが閉塞壁２９で閉塞されるので、流入口２５から外筒体１５の収容空間２１ｓに流入した調和空気は、内筒体１３の筒体本体５１内に殆ど流入せず、その多くが開口壁２７側で当該筒体本体５１の外側の筒間流路１７に流れる。そして、その収容空間２１ｓの開口壁２７側で筒間流路１７に流れた調和空気は、外筒体１５の内部と外部との気圧差により筒間流路１７を吹出口２２側に誘導される結果、吹出口２２に向かって斜め左方に流れる左向き気流に変わり、吹出口２２からそのまま斜め左方に吹き出される。こうして、吹出口２２から吹き出される風の向きが最も左方に向けられる。
【０１１３】
また、送風装置５は、風向入力部から風向きを最も右方に設定する入力信号が入力された場合には、必要に応じてスライド操作機構９１の第２モータ９７を駆動させて内筒体１３をスライド移動させることにより、図１７（ｂ）に示すように内筒体１３を最右位置に配置させる。
【０１１４】
そうすると、外筒体１５の流入口２５が内筒体１３の右側開放端で取り囲まれるので、流入口２５から外筒体１５の収容空間２１ｓに流入した調和空気は、全て内筒体１３の筒体本体５１内に流入し、当該筒体本体５１の内部を通過して収容空間２１ｓを閉塞壁２９側に送られ、閉塞壁２９側から筒間流路１７に流れる。そして、外筒体１５の収容空間２１ｓを閉塞壁２９側から筒間流路１７に流れる調和空気は、外筒体１５の内部と外部との気圧差により吹出口２２側に誘導される結果、吹出口２２に向かって斜め右方に流れる右向き気流に変わり、吹出口２２からそのまま斜め右方に吹き出される。こうして、吹出口２２から吹き出される風の向きが最も右方に向けられる。
【０１１５】
また、送風装置５は、風向入力部から風向きを左右方向における中央向きに設定する入力信号が入力された場合には、図１８に示すように、必要に応じてスライド操作機構９１の第２モータ９７を駆動させて内筒体１３をスライド移動させることにより、内筒体１３を外筒体１５の収容空間２１ｓで左右方向における中央位置に配置させる。
【０１１６】
そうすると、外筒体１５の収容空間２１ｓに流入した調和空気は、外筒体１５の内部と外部との気圧差により、内筒体１３の筒体本体５１内部を通過せずに筒間流路１７を開口壁２７側から吹出口２２に流れる左向き気流と、内筒体１３の筒体本体５１内部を通過して筒間流路１７を閉塞壁２９側から吹出口２２に流れる右向き気流とに分けられる。そして、これら左向き気流と右向き気流とは、吹出口２２及びその付近で衝突しつつ合流し、吹出口２２から外部に吹き出される。このとき、左向き気流の風量と右向き気流の風量とが同じ程度になるので、これら両気流を生成する調和空気は、吹出口２２から左右方向における中央に向けて吹き出される。こうして、吹出口２２から吹き出される風の向きが左右方向の中央に向けられる。
【０１１７】
その他、送風装置５は、風向入力部から左右方向における上記以外の風向きを設定する入力信号が入力された場合にも、外筒体１５の収容空間２１ｓでの左右方向における内筒体１３の位置を、スライド操作機構９１でその入力信号に応じた位置にスライド移動させる。そのことにより、吹出口２２から吹き出される風の向きが左右方向における所定の方向に向けられる。
【０１１８】
次に、図１９（ａ）〜（ｅ）を参照しながら、送風装置５の吹出口２２から送風口１０３を通して車室内空間へ吹き出される風の向きを上下方向に制御する動作を説明する。
【０１１９】
送風装置５は、風向入力部から風向きを最も上向きに設定する入力信号が入力された場合には、必要に応じて回転操作機構９０の第１モータ９４を駆動させて内筒体１３と共に可動仕切板８２を回転させることにより、図１９（ａ）に示すように、可動仕切板８２の外端を吹出口２２の上端縁寄りの位置に向けた状態とする。
【０１２０】
そうすると、外筒体１５の収容空間２１ｓに流入した調和空気は、外筒体１５の内部と外部との気圧差により、外筒体１５の内周方向における下側回りに流れて突出吹出部２３で全て上向き気流となり、吹出口２２からそのまま斜め上方に吹き出される。こうして、吹出口２２から吹き出される風の向きが最も上方に向けられる。
【０１２１】
また、送風装置５は、風向入力部から風向きを最も下向きに設定する入力信号が入力された場合には、必要に応じて回転操作機構９０の第１モータ９４を駆動させて内筒体１３と共に可動仕切板８２を回転させることにより、図１９（ｂ）に示すように、可動仕切板８２の外端を吹出口２２の下端縁寄りの位置に向けた状態とする。
【０１２２】
そうすると、外筒体１５の収容空間２１ｓに流入した調和空気は、外筒体１５の内部と外部との気圧差により、外筒体１５の内周方向における上側回りに流れて突出吹出部２３で全て下向き気流となり、吹出口２２からそのまま斜め上方に吹き出される。こうして、吹出口２２から吹き出される風の向きが最も下方に向けられる。
【０１２３】
また、送風装置５は、風向入力部から風向きを上下方向における中央向きに設定する入力信号が入力された場合には、必要に応じて回転操作機構９０の第１モータ９４を駆動させて内筒体１３と共に可動仕切板８２を回転させることにより、図１９（ｃ）に示すように、可動仕切板８２の外端を吹出口２２とは正反対の方向に向けた状態とする。
【０１２４】
そうすると、外筒体１５の収容空間２１ｓに流入した調和空気は、可動仕切板８２で下回り気流と上回り気流とに分離される。これら２つの気流は、互いに逆回りに外筒体１５の内周面に沿って吹出口２２へ流れ、吹出口２２及びその付近で衝突しつつ合流し、その合流した調和空気が吹出口２２から吹き出される。このとき、上回り気流の風量と下回り気流の風量とは、可動仕切板８２の仕切り位置が筒間流路１７を上下半分に仕切る位置にあることから同じ程度になるので、これら両気流を生成する調和空気は、吹出口２２から上下方向における中央に向けて吹き出される。こうして、吹出口２２から吹き出される風の向きが上下方向における中央に向けられる。
【０１２５】
また、送風装置５は、風向入力部から風向きを若干上向きに設定する入力信号が入力された場合には、必要に応じて回転操作機構９０の第１モータ９４を駆動させて内筒体１３と共に可動仕切板８２を回転させることにより、図１９（ｄ）に示すように、可動仕切板８２の外端を上側斜め前方に向けた状態とする。
【０１２６】
そうすると、可動仕切板８２で仕切られた筒間流路１７のうち、上回り気流の流路１７ａが相対的に短く、下回り気流の流路１７ｂが相対的に長くなる。この場合にも、外筒体１５の収容空間２１ｓに流入した調和空気は、上回り気流と下回り気流とに分離され、突出吹出部２３で下向き気流と上向き気流となった後に、吹出口２２及びその付近にて衝突しつつ合流し、吹出口２２から外部に吹き出される。そして、この場合、下回り気流の風量が上回り気流の風量よりも多くなるので、これら両気流を生成する調和空気は、上向き気流に押されて吹出口２２から上向き加減で吹き出される。こうして、吹出口２２から吹き出される風の向きが若干上方に向けられる。
【０１２７】
また、送風装置５は、風向入力部から風向きを若干上向きに設定する入力信号が入力された場合には、必要に応じて回転操作機構９０の第１モータ９４を駆動させて内筒体１３と共に可動仕切板８２を回転させることにより、図１９（ｅ）に示すように、可動仕切板８２の外端を下側斜め前方に向けた状態とする。
【０１２８】
そうすると、可動仕切板８２で仕切られた筒間流路１７のうち、上回り気流の流路２４ａが相対的に長く、下回り気流の流路２４ｂが相対的に短くなる。この場合にも、外筒体１５の収容空間２１ｓに流入した調和空気は、上回り気流と下回り気流とに分離され、突出吹出部２３で下向き気流と上向き気流となった後に、吹出口２２及びその付近にて衝突しつつ合流し、吹出口２２から外部に吹き出される。そして、この場合、上回り気流の風量が下回り気流の風量よりも多くなるので、これら両気流を生成する調和空気は、下向き気流に押されて吹出口２２から下向き加減で吹き出される。こうして、吹出口２２から吹き出される風の向きが若干下方に向けられる。
【０１２９】
その他、送風装置５は、風向入力部から上下方向における上記以外の風向きを設定する入力信号が入力された場合にも、筒間流路１７での可動仕切板８２の仕切り位置を回転操作機構９０でその入力信号に応じた位置に回転移動させる。そのことにより、吹出口２２から吹き出される風の向きが上下方向における所定の方向に向けられる。
【０１３０】
−実施形態３の効果−
この実施形態３によると、吹出口２２から吹き出る風の向きを上下左右に自動で調節することができる。また、流路規制部としての可動仕切板８２を内筒体１３と一体に形成するようにしたから、部品点数を少なくでき、装置構造をより簡単にすることができる。その他については、上記実施形態１と同様な効果が得られる。
【０１３１】
《その他の実施形態》
なお、上記実施形態１では、外筒体１５について上側分割体１６Ａと下側分割体１６Ｂとがネジ留めされているとしたが、これら両分割体１６Ａ，１６Ｂのうち一方の分割体に係止孔を有する係合片が複数設けられ、他方の分割体にこの係合片の係止孔に嵌まって係合する係合爪が複数設けられ、各係合爪を対応する係合片の係止孔に引っ掛けて留めることで、上側分割体１６Ａと下側分割体１６Ｂとが一体に連結されていてもよい。
【０１３２】
また、上記実施形態１及び２では、操作ノブ７９が、吹出口２２から送風口１０３を通して外部に突出している形態を例に挙げて説明したが、これに限らず、操作ノブ７９は、例えば、インストルメントパネル１０１のうち送風口１０３の上側部分又は左右方向における側方部分に形成された開口から車室内に突出させて設けられていてもよい。
【０１３３】
また、上記実施形態３では、可動仕切板８２を第１モータ９４の動力を利用して回転させる構成を例に挙げて説明したが、これに限らず、第１モータ９４に代えて回転軸８９を回転させるための操作ノブを仕切り位置操作手段として設け、この操作ノブを用いて手動で可動仕切板８２を回転させる構成であってもよい。
【０１３４】
また、上記実施形態１では、空気吹出部１１は、助手席の前側でグローブボックスの上方位置に設置されるとしたが、これに限らず、当該空気吹出部１１は、上述の通り設置スペースを大きく必要としないので、ドアトリムなどのその他の箇所に設置することも可能である。
【０１３５】
以上、本発明の好ましい実施形態について説明したが、本発明の技術的範囲は上記各実施形態に記載の範囲に限定されない。上記各実施形態が例示であり、それらの各構成要素の組合せに、さらに色々な変形例が可能なこと、またそうした変形例も本発明の範囲に属することは当業者に理解されるところである。
【産業上の利用可能性】
【０１３６】
以上説明したように、本発明は、風向きを調節可能な送風装置について有用であり、特に、空気の吹出口に風向きを制御するフィンを持たずに簡単な構造で風向きを制御し、インストルメントパネルの意匠性を向上させることが要望される送風装置に適している。
【符号の説明】
【０１３７】
５        送風装置
１１      空気吹出部
１３      内筒体
１５      外筒体
１７      筒間流路
１７ａ    上回り気流の流路
１７ｂ    下回り気流の流路
１９      流路規制体（流路規制部）
２０      流路規制体（流路規制部）
２１ｓ    収容空間
２２      吹出口
２４ａ    下向き気流の流路
２４ｂ    上向き気流の流路
２５      流入口
２７      開口壁
２９      閉塞壁
３１      上側傾斜壁（対向壁）
３３      下側傾斜壁（対向壁）
７９      操作ノブ（スライド操作手段、仕切り位置操作手段）
８２      可動仕切板（流路規制部）
９０      回転操作機構（仕切り位置操作手段）
９１      スライド操作機構（スライド操作手段）
【図１】
2015227118.tif 000003
【図２】
2015227118.tif 000004
【図３】
2015227118.tif 000005
【図４】
2015227118.tif 000006
【図５】
2015227118.tif 000007
【図６】
2015227118.tif 000008
【図７】
2015227118.tif 000009
【図８】
2015227118.tif 000010
【図９】
2015227118.tif 000011
【図１０】
2015227118.tif 000012
【図１１】
2015227118.tif 000013
【図１２】
2015227118.tif 000014
【図１３】
2015227118.tif 000015
【図１４】
2015227118.tif 000016
【図１５】
2015227118.tif 000017
【図１６】
2015227118.tif 000018
【図１７】
2015227118.tif 000019
【図１８】
2015227118.tif 000020
【図１９】
2015227118.tif 000021